(57)【要約】      （修正有）【課題】調剤薬局から処方された薬を服用する患者宅に設置される服薬管理器具が計測する服薬記録情報と調剤薬局にて管理される患者の処方薬に関する背景情報とを統合し、種々の活用が見込まれる有用な情報を生成する。【解決手段】服薬データ生成システムは、患者宅に設置され、患者への服薬指示に応じた所定の配置規則に従って配置される薬を所定位置から移動させた日時を計測する手段と、患者識別情報と計測された日時及び所定の配置規則に基づいて判定する服薬指示に対する服薬状況とを含む第１服薬データを生成する手段と、患者識別情報と患者識別情報で識別される患者の薬歴情報とを関連付けて記憶する手段と、第１服薬データと薬歴情報とを患者識別情報で関連付けて併合することによって、一の薬歴を有する患者の服薬指示に対する服薬状況を表す第２服薬データを生成する手段と、を有する。【選択図】図３
2019159658.tif 000002
【特許請求の範囲】
【請求項１】
患者宅に設置され、前記患者への服薬指示に応じた所定の配置規則に従って配置される薬を所定位置から移動させた日時を計測する服薬タイミング計測手段と、
前記患者を識別する患者識別情報と、前記日時及び前記所定の配置規則に基づいて判定する前記服薬指示に対する服薬状況と、を含む第１服薬データを生成する第１服薬データ生成手段と、
前記患者識別情報と、前記患者識別情報で識別される前記患者の薬歴情報と、を関連付けて記憶する患者情報記憶手段と、
前記第１服薬データと前記薬歴情報とを前記患者識別情報で関連付けて併合することによって、一の薬歴を有する前記患者の前記服薬指示に対する服薬状況を表す第２服薬データを生成する第２服薬データ生成手段と、を有することを特徴とする服薬データ生成システム。
【請求項２】
前記薬歴情報が、レセプト情報であることを特徴とする請求項１に記載の服薬データ生成システム。
【請求項３】
前記薬歴情報が、前記患者の属性、前記患者の疾患、前記患者が受診した医療機関、前記患者へ前記薬を処方した医師及び前記患者へ処方された前記薬を特定する情報を含むことを特徴とする請求項１又は２に記載の服薬データ生成システム。
【請求項４】
前記服薬指示に対する服薬状況が、前記患者が前記服薬指示に従って前記薬を飲めたのか否かに関する情報を含むことを特徴とする請求項１乃至３の何れか一に記載の服薬データ生成システム。
【請求項５】
患者宅に設置される服薬タイミング計測手段が、前記患者への服薬指示に応じた所定の配置規則に従って配置される薬を所定位置から移動させた日時を計測するステップと、
第１服薬データ生成手段が、前記患者を識別する患者識別情報と、前記日時及び前記所定の配置規則に基づいて判定する前記服薬指示に対する服薬状況と、を含む第１服薬データを生成するステップと、
前記患者識別情報と、前記患者識別情報で識別される前記患者の薬歴情報と、を関連付けて記憶する患者情報記憶手段と、
第２服薬データ生成手段が、前記第１服薬データと、前記患者識別情報で識別される前記患者の薬歴情報と、を前記患者識別情報で関連付けて併合することによって、一の薬歴を有する前記患者の前記服薬指示に対する服薬状況を表す第２服薬データを生成するステップと、を含む、コンピューターにおいて実行される服薬データ生成方法。
【請求項６】
前記薬歴情報が、レセプト情報であることを特徴とする請求項５に記載の服薬データ生成方法。
【請求項７】
前記薬歴情報が、前記患者の属性、前記患者の疾患、前記患者が受診した医療機関、前記患者へ前記薬を処方した医師及び前記患者へ処方された前記薬を特定する情報を含むことを特徴とする請求項５又は６に記載の服薬データ生成方法。
【請求項８】
前記服薬指示に対する服薬状況が、前記患者が前記服薬指示に従って前記薬を飲めたのか否かに関する情報を含むことを特徴とする請求項５乃至７の何れか一に記載の服薬データ生成方法。
【発明の詳細な説明】
【技術分野】
【０００１】
患者が薬を服用する背景情報及びその患者の服薬記録情報を統合し、種々の目的に応じて加工可能な基礎的データを生成する技術に関する。
【背景技術】
【０００２】
一般に、医師に処方される薬は、薬ごとの服用の仕方、服用タイミング等、服薬方法に関する指示が出されるため、患者は、特定の薬を決められたタイミングで服用する必要がある。
【０００３】
ところが高齢者などは、そのような服薬管理を自分自身で行うことが難しい場合もあるため、種々の対応策が提案されている。例えば、非特許文献１では、在宅医療を受けている患者の服薬状況を客観的に確認できる服薬管理カレンダーが紹介されている。
【先行技術文献】
【非特許文献】
【０００４】
【非特許文献１】大日本印刷株式会社による服薬管理カレンダーに関するニュースリリース（http://www.dnp.co.jp/news/10130783_2482.html）
【発明の概要】
【発明が解決しようとする課題】
【０００５】
その様な背景下、患者の属性・疾患・受診医療機関・担当医師・処方薬等、患者が薬を服用する背景及びその患者の服薬記録を統合することができれば、種々の活用が見込まれるものの、そのようなデータそのものが無かった。
【０００６】
そこで本発明では、上記問題点に鑑み、調剤薬局から処方された薬を服用する患者宅に設置される服薬管理器具が計測する服薬記録情報と調剤薬局にて管理される患者の処方薬に関する背景情報とを統合し、種々の活用が見込まれる有用な情報を生成する服薬データ生成システムを提供することを目的とする。
【課題を解決するための手段】
【０００７】
開示する服薬データ生成システムの一形態は、患者宅に設置され、前記患者への服薬指示に応じた所定の配置規則に従って配置される薬を所定位置から移動させた日時を計測する服薬タイミング計測手段と、前記患者を識別する患者識別情報と、前記日時及び前記所定の配置規則に基づいて判定する前記服薬指示に対する服薬状況と、を含む第１服薬データを生成する第１服薬データ生成手段と、前記患者識別情報と、前記患者識別情報で識別される前記患者の薬歴情報と、を関連付けて記憶する患者情報記憶手段と、前記第１服薬データと前記薬歴情報とを前記患者識別情報で関連付けて併合することによって、一の薬歴を有する前記患者の前記服薬指示に対する服薬状況を表す第２服薬データを生成する第２服薬データ生成手段と、を有することを特徴とする。
【発明の効果】
【０００８】
開示する服薬データ生成システムは、調剤薬局から処方された薬を服用する患者宅に設置される服薬管理器具が計測する服薬記録情報と調剤薬局にて管理される患者の処方薬に関する背景情報とを統合し、種々の活用が見込まれる有用な情報を生成する。
【図面の簡単な説明】
【０００９】
【図１】本実施の形態に係る服薬データ生成システムの概要を説明する図である。
【図２】本実施の形態に係る服薬タイミング計測手段（服薬管理器具）の一例の概要を説明する図である。
【図３】本実施の形態に係る服薬データ生成システムの機能ブロック図である。
【図４】本実施の形態に係る第２服薬データの構成の一例を示す図である。
【図５】本実施の形態に係る服薬タイミング計測手段による計測データの一例を示す図である。
【図６】本実施の形態に係る第１服薬データの一例を示す図である。
【図７】本実施の形態に係る第２服薬データの構成の一例を示す図である。
【図８】本実施の形態に係る服薬データ生成システムのハードウエア構成例を示す図である。
【図９】本実施の形態に係る服薬データ生成システムによる処理例の流れを示すフローチャートである。
【発明を実施するための形態】
【００１０】
図面を参照しながら、本発明を実施するための形態について説明する。
（本実施の形態に係る服薬データ生成システムの動作原理）
【００１１】
図１及び２を用いて、本実施の形態に係る服薬データ生成システム（以下、単に「本システム」という。）１００の概要について説明する。図１は、本システム１００の概要を説明するための図であり、図２は、患者２１０の服薬状況２７０を管理する器具１２０の概要を説明する図である。
【００１２】
図１で示すように、本システム１００は、患者２１０の自宅２３０等に設置され、患者２１０の服薬タイミングを計測する器具１２０による計測データ２６０（２８０）と、患者２１０へ薬３６０を処方した調剤薬局３７０が保有する患者２１０の薬歴情報３００と、を統合する。そうすることによって、本システム１００は、種々の事業活用が見込まれる有用な情報２９０を生成することができる。
【００１３】
図２で示すように、患者２１０の服薬タイミングを計測する器具１２０は、例えば、薬３６０を定位置から動かしたことを検知する複数のセンサーを備え、各センサーは、患者２１０の服薬タイミングに対応して、縦方向は曜日順に、横方向は１日内の所定のタイミングの順に配列される。なお、各センサーの定位置には患者２１０への服薬指示２４０に応じて薬３６０が配置される。本システム１００においては、患者２１０への服薬指示２４０に対応するセンサーの配置規則が予め分かっているため、各センサーの検知結果に基づいて、患者２１０が服薬指示２４０に従って薬３６０を正しく飲めたのか否かを知ることができる。
【００１４】
図３乃至７を用いて、本システム１００の動作原理について説明する。図３は、本システム１００の機能ブロック図である。図３で示すように、本システム１００は、患者情報記憶手段１１０、服薬タイミング計測手段１２０、第１服薬データ生成手段１３０、第２服薬データ生成手段１４０を有する。
【００１５】
患者情報記憶手段１１０は、患者２１０を識別するための患者識別情報２２０と、患者識別情報２２０で識別される患者２１０の薬歴情報３００と、を関連付けて記憶する。図４で示すように、薬歴情報３００とは、例えば、患者２１０の氏名・性別・年齢・住所等所謂患者２１０の属性３２０、患者２１０が患っている疾患３３０、患者２１０が受診した医療機関３４０、患者２１０に薬３６０を処方した医師３５０、患者２１０に薬３６０を調製した調剤薬局３７０、患者２１０に処方された薬３６０などを特定する情報（レセプト情報３１０）をいう。
【００１６】
服薬タイミング計測手段１２０は、患者２１０の服薬タイミングを計測する。服薬タイミング計測手段１２０は、患者２１０への服薬指示２４０に応じた所定の配置規則２５０に従って配置される薬３６０を所定位置から移動させた日時２６０を計測する。図２で示すように、服薬タイミング計測手段１２０は、例えば、薬３６０を定位置から動かしたことを検知する複数のセンサーが配置され、各センサーは、患者２１０の服薬指示２４０に対応して、縦方向に曜日を取り、横方向に１日内の定時を取ってそれぞれ配列される。なお、各センサーの定位置には患者２１０への服薬指示２４０に応じて、薬３６０が配置される。また、服薬タイミング計測手段１２０は、患者２１０の服薬タイミングを計測するものであるため、患者宅２３０など患者２１０が普段生活している場所に設置されることが好適である。
【００１７】
服薬タイミング計測手段１２０は、患者２１０が薬３６０を定位置から移動させたことを検知したセンサーを識別するセンサー識別情報、及び各センサーによる検知日時２６０を特定する。図５で示すように、服薬タイミング計測手段１２０は、例えば、患者２１０が薬３６０を所定位置（センサー識別情報）：“３−Ａ”から“２０１７年１１月１５日（水）８時１９分”に移動させたことを特定する。ここで、図２において、所定位置（センサー識別情報）：３−Ａは、３行目：水曜日、１列目：朝のセンサー位置を示している。
【００１８】
同様に、服薬タイミング計測手段１２０は、例えば、患者２１０が薬３６０を所定位置（センサー識別情報）：“１−Ｄ”から“２０１７年１１月２０日（月）１８時５０分”に移動させたことを特定する。図２において、所定位置（センサー識別情報）：１−Ｄは、３行目：月曜日、４列目：就寝前のセンサー位置を示している。
【００１９】
第１服薬データ生成手段１３０は、患者識別情報２２０と、服薬タイミング計測手段１２０による検知結果（位置、日時２６０）及び所定の配置規則２５０に基づいて判定する服薬指示２４０に対する服薬状況２７０と、を含む第１服薬データ２８０を生成する。服薬指示２４０に対する服薬状況２７０とは、服薬指示２４０に従って患者識別情報２２０で識別される患者２１０が薬３６０を正しく飲めたのか否かに関する情報である。各センサー位置には、患者２１０への服薬指示２４０に応じて薬３６０が配置され、患者２１０への服薬指示２４０に応じたセンサーの配置規則が予め分かっているため、第１服薬データ生成手段１３０は、センサーの検知結果に基づいて、患者２１０が服薬指示２４０に従って薬３６０を正しく飲めたのか否かを判定することができる。
【００２０】
図６において、無印箇所は、薬３６０を正しく服用できたところ、※１を付した箇所は、別位置に配置される薬３６０を服用したところ、※２を付した箇所は、薬３６０を服用しなかったところ、※３を付した箇所は、薬３６０を指定時間より遅れて服用したところ、※４を付した箇所は、薬３６０を正規の時刻以外で服用したところ、等を示している。図６で示すように、第１服薬データ生成手段１３０は、例えば、一の患者２１０に関し、２０１７年１１月１５日８時１９分においては薬３６０を正しく服用でき、２０１７年１１月１８日１６時５９分においては薬３６０を正規の時刻以外で服用した、とそれぞれ判定する第１服薬データ２８０を生成する。
【００２１】
図７で示すように、第１服薬データ生成手段１３０は、例えば、患者２１０毎に、服薬率（服薬が正しく行われた率）や服薬の指定タイミング毎（朝・昼・夕・就寝前）の服薬状況２７０を示す情報２８０を生成しても良い。
【００２２】
第２服薬データ生成手段１４０は、第１服薬データ生成手段１３０が生成する第１服薬データ２８０と、患者情報記憶手段１１０に記憶される薬歴情報３００と、を患者識別情報２２０で関連付けて併合することによって、患者２１０に関する背景情報３００と共に患者２１０の服薬指示２４０に対する服薬状況２７０を表す第２服薬データ２９０を生成する。
【００２３】
図４で示すように、第２服薬データ生成手段１４０は、第１服薬データ２８０と、患者２１０の氏名・性別・年齢・住所等の所謂患者２１０の属性３２０、患者２１０が患っている疾患３３０、患者２１０が受診した医療機関３４０、患者２１０に薬３６０を処方した医師３５０、患者２１０に薬３６０を調製した調剤薬局３７０、患者２１０に処方された薬３６０等の薬歴情報３００と、を患者識別情報２２０をキーにして併合する。なお、第２服薬データ生成手段１４０によって併合、生成された情報が第２服薬データ２９０である。
【００２４】
図７で示すように、第２服薬データ生成手段１４０は、服薬率（服薬が正しく行われた率）や服薬の指定タイミング毎（朝・昼・夕・就寝前）の服薬状況２７０を示す情報２８０と、患者２１０の薬歴情報３００と、を患者識別情報２２０をキーにして併合する形態であっても良い。ここでも、第２服薬データ生成手段１４０によって併合、生成された情報が第２服薬データ２９０である。
第２服薬データ生成手段１４０によって生成される第２服薬データ２９０は、種々の事業活用が見込まれる有用な情報である。
【００２５】
上記のように、本システム１００は、調剤薬局３７０から処方された薬３６０を服用する患者宅２３０に設置される服薬管理器具１２０が計測する服薬記録情報２６０（２８０）と、調剤薬局３７０において管理される患者２１０の処方薬３６０に関する背景情報３００と、を統合し、種々の事業活用が見込まれる有用な情報２９０を生成する。
（本実施の形態に係る服薬データ生成システムのハードウエア構成）
【００２６】
図８を用いて、本システム１００のハードウエア構成例について説明する。図８は、本システム１００のハードウエア構成の一例を示す図である。図８で示すように、本システム１００は、ＣＰＵ（Central Processing Unit）４１０、ＲＯＭ（Read-Only Memory）４２０、ＲＡＭ（Random Access Memory）４３０、補助記憶装置４４０、通信Ｉ／Ｆ４５０、入力装置４６０、出力装置（表示装置）４７０、記録媒体Ｉ／Ｆ４８０を有する。
【００２７】
ＣＰＵ４１０は、ＲＯＭ４２０に記憶されたプログラムを実行する装置であり、ＲＡＭ４３０に展開（ロード）されたデータを、プログラムの命令に従って演算処理し、本システム１００全体を制御する。ＲＯＭ４２０は、ＣＰＵ４１０が実行するプログラムやデータを記憶している。ＲＡＭ４３０は、ＣＰＵ４１０でＲＯＭ４２０に記憶されたプログラムを実行する際に、実行するプログラムやデータが展開（ロード）され、演算の間、演算データを一時的に保持する。
【００２８】
補助記憶装置４４０は、基本ソフトウエアであるＯＳ（Operating System）や本実施の形態に係るアプリケーションプログラムなどを、関連するデータとともに記憶する装置であり、例えば、ＨＤＤ（Hard Disc Drive）やフラッシュメモリなどである。
【００２９】
通信Ｉ／Ｆ４５０は、有線・無線ＬＡＮ（Local Area Network）、インターネットなどの通信ネットワーク３８０に接続し、データの授受を行うためのインターフェースである。
【００３０】
入力装置４６０は、キーボードやタッチパネルなど本システム１００にデータ入力を行うための装置である。出力装置４７０は、ＬＣＤ（Liquid Crystal Display）等で構成される装置であり、本システム１００が有する機能をユーザーが利用する際や各種設定を行う際のユーザーインターフェースとして機能する装置である。
記録媒体Ｉ／Ｆ４８０は、ＣＤ−ＲＯＭ、ＤＶＤ−ＲＯＭ、ＵＳＢメモリなどの記録媒体４９０とデータの送受信を行うためのインターフェースである。
【００３１】
本システム１００が有する各手段は、ＣＰＵ４１０が、ＲＯＭ４２０又は補助記憶装置４４０に記憶された各手段に対応するプログラムを実行することにより実現される形態としても良い。また、本システム１００が有する各手段は、当該各手段に関する処理をハードウエアとして実現される形態としても良い。また、通信Ｉ／Ｆ４５０を介して外部サーバー装置から本発明に係るプログラムを読み込ませたり、記録媒体Ｉ／Ｆ４８０を介して記録媒体４９０から本発明に係るプログラムを読み込ませたりして、本システム１００に当該プログラムを実行させる形態としても良い。
（本実施の形態に係る服薬データ生成システムによる処理例）
図９を用いて、本システム１００による処理例の流れを説明する。図９は本システム１００による処理例の流れを表すフローチャートである。
【００３２】
図１で示すように、調剤薬局３７０が患者２１０に対し、医師３５０が作成した処方箋に基づいて、服薬タイミングの指示２４０と共に薬３６０を提供する。そして、図２で示すように、患者２１０の服薬タイミングを計測する器具１２０においては、患者２１０の服薬タイミングに対応して複数のセンサーが、縦方向は曜日順に、横方向は１日内の所定のタイミングの順に配列される。また、各センサーの定位置には、患者２１０への服薬指示２４０に応じて薬３６０が配置される。
【００３３】
Ｓ１０で服薬タイミング計測手段１２０が、患者２１０の服薬タイミングを計測する。服薬タイミング計測手段１２０は、患者２１０への服薬指示２４０に応じた所定の配置規則２５０に従って配置される薬３６０を所定位置から移動させた日時２６０を計測する。なお、服薬タイミング計測手段１２０は、患者宅２３０など患者２１０が普段生活している場所に設置されている。
【００３４】
服薬タイミング計測手段１２０は、患者２１０が薬３６０を定位置から移動させたことを検知したセンサーを識別するセンサー識別情報、及び各センサーによる検知日時２６０を特定する。図５で示すように、服薬タイミング計測手段１２０は、例えば、患者２１０が薬３６０を所定位置（センサー識別情報）：３−Ａから２０１７年１１月１５日（水）８時１９分に移動させたことを特定する。ここで、図２において、所定位置（センサー識別情報）：３−Ａは、３行目：水曜日、１列目：朝のセンサー位置を示している。
【００３５】
同様に、服薬タイミング計測手段１２０は、例えば、患者２１０が薬３６０を所定位置（センサー識別情報）：１−Ｄから２０１７年１１月２０日（月）１８時５０分に移動させたことを特定する。図２において、所定位置（センサー識別情報）：１−Ｄは、３行目：月曜日、４列目：就寝前のセンサー位置を示している。
【００３６】
Ｓ２０で第１服薬データ生成手段１３０が、患者識別情報２２０と、Ｓ１０における検知結果（位置、日時２６０）及び所定の配置規則２５０に基づいて判定する服薬指示２４０に対する服薬状況２７０と、を含む第１服薬データ２８０を生成する。服薬指示２４０に対する服薬状況２７０とは、服薬指示２４０に従って患者識別情報２２０で識別される患者２１０が薬３６０を正しく飲めたのか否かに関する情報である。
【００３７】
服薬タイミング計測手段１２０が備える各センサー位置には、患者２１０への服薬指示２４０に応じて薬３６０が配置され、患者２１０への服薬指示２４０に応じたセンサーの配置規則が予め分かっているため、第１服薬データ生成手段１３０は、服薬タイミング計測手段１２０の検知結果に基づいて、患者２１０が服薬指示２４０に従って薬３６０を正しく飲めたのか否かを判定することができる。
【００３８】
図６で示すように、第１服薬データ生成手段１３０は、例えば、一の患者２１０に関し、２０１７年１１月１５日８時１９分においては薬３６０を正しく服用でき、２０１７年１１月１８日１６時５９分においては薬３６０を正規の時刻以外で服用した、とそれぞれ判定する第１服薬データ２８０を生成する。
【００３９】
図７で示すように、第１服薬データ生成手段１３０は、例えば、患者２１０毎に、服薬率（服薬が正しく行われた率）や服薬の指定タイミング毎（朝・昼・夕・就寝前）の服薬状況２７０を示す情報２８０を生成しても良い。
【００４０】
Ｓ３０で第２服薬データ生成手段１４０が、“Ｓ２０において生成された第１服薬データ２８０”と“患者情報記憶手段１１０に記憶される薬歴情報３００”とを患者識別情報２２０で関連付けて併合することによって、“患者２１０に関する背景情報３００”及び“患者２１０の服薬指示２４０に対する服薬状況２７０”を同時に知ることができる第２服薬データ２９０を生成する。
【００４１】
図４で示すように、第２服薬データ生成手段１４０は、第１服薬データ２８０と、患者２１０の氏名・性別・年齢・住所等の所謂患者２１０の属性３２０、患者２１０が患っている疾患３３０、患者２１０が受診した医療機関３４０、患者２１０に薬３６０を処方した医師３５０、患者２１０に薬３６０を調製した調剤薬局３７０、患者２１０に処方された薬３６０等の薬歴情報３００と、を患者識別情報２２０をキーにして併合する。
【００４２】
図７で示すように、第２服薬データ生成手段１４０は、“服薬率（服薬が正しく行われた率）や服薬の指定タイミング毎（朝・昼・夕・就寝前）の服薬状況２７０を表す情報２８０”と“患者２１０の薬歴情報３００”とを患者識別情報２２０をキーにして併合する形態であっても良い。
【００４３】
なお、第２服薬データ生成手段１４０によって併合、生成された情報が第２服薬データ２９０である。そして、第２服薬データ生成手段１４０によって生成される第２服薬データ２９０は、種々の事業活用が見込まれる有用な情報である。
【００４４】
上記のように、本システム１００は、調剤薬局３７０から処方された薬３６０を服用する患者宅２３０に設置される服薬管理器具１２０が計測する服薬記録情報２６０（２８０）と、調剤薬局３７０において管理される患者２１０の処方薬３６０に関する背景情報３００と、を統合し、種々の事業活用が見込まれる有用な情報２９０を生成する。
【００４５】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００４６】
１００  服薬データ生成システム
１１０  患者情報記憶手段
１２０  服薬タイミング計測手段
１３０  第１服薬データ生成手段
１４０  第２服薬データ生成手段
２１０  患者
２２０  患者識別情報
２３０  患者の自宅
２４０  患者への服薬指示
２５０  服薬指示に応じた所定の配置規則
２６０  薬を所定位置から移動させた日時
２７０  服薬指示に対する服薬状況
２８０  第１服薬データ
２９０  第２服薬データ
３００  薬歴情報
３１０  レセプト情報
３２０  患者の属性
３３０  患者の疾患
３４０  患者が受診した医療機関
３５０  患者へ薬を処方した医師
３６０  患者へ処方された薬
３７０  調剤薬局
３８０  通信ネットワーク
４１０  ＣＰＵ
４２０  ＲＯＭ
４３０  ＲＡＭ
４４０  補助記憶装置
４５０  通信インターフェース
４６０  入力装置
４７０  出力装置
４８０  記録媒体インターフェース
４９０  記録媒体
【図１】
2019159658.tif 000003
【図２】
2019159658.tif 000004
【図３】
2019159658.tif 000005
【図４】
2019159658.tif 000006
【図５】
2019159658.tif 000007
【図６】
2019159658.tif 000008
【図７】
2019159658.tif 000009
【図８】
2019159658.tif 000010
【図９】
2019159658.tif 000011